(57)【要約】      （修正有）【課題】契約パッケージの販売により効率的な会員募集を行う。【解決手段】コンビニエンスストア、スーパー、百貨店等、食品、衣料、雑貨、書籍等を販売する店内において特定サービスの提供を前提とする契約を有償で販売し、購買者が会員登録用葉書に個人情報を自署名の後、サービス事業体に送付する。一意のＩＤ番号と個人情報をセットで登録することでサービス利用時ＩＤキーカードを有効とする。ＩＤキーカードを提示し認証することで契約パッケージ記載の割り引き価格が適用される。【選択図】図１
2012123593.tif 000002
【特許請求の範囲】
【請求項１】
本発明はコンビニエンスストア、スーパー、百貨店等、食品、衣料、雑貨、書籍等を販売する店内において
掲示、販売される契約パッケージに関わり、当該契約対象は特定施設の利用、自主発信型・巡回型サービス
利用、および付帯関連する必需品、備品、消耗品の購入または貸与であり、
契約パッケージの前記店内販売時点実体価値と、
前記契約パッケージ内記載の契約手順を遵守することによる実効契約後の契約対象割引利用において、
実効価値が付加される契約パッケージの販売方法および契約有効化方法。
【請求項２】
請求項１コンビニエンスストア、スーパー、百貨店等、食品、衣料、雑貨、書籍等を販売する店内において掲示、
販売される時点の契約パッケージの価値は、特定施設の利用、自主発信型・巡回型サービス利用、
および付帯関連する必需品、備品、消耗品の購入または貸与時に提示し認証使用されるＩＤキーカードの実体
価値であることを特徴とする。
【請求項３】
請求項１コンビニエンスストア、スーパー、百貨店等、食品、衣料、雑貨、書籍等を販売する店内において掲示、
販売される契約パッケージの実効価値は、当該契約パッケージの購入者が、
当該パッケージを構成する自署名部情報への自署と、当該パッケージ製造時確定の署名部情報コードまたは
記号を併せて当該契約パッケージ発行元へ送付到着を以て、請求項２記述のＩＤキーカードが有効となることを
特徴とする。
【請求項４】
請求項１コンビニエンスストア、スーパー、百貨店等、食品、衣料、雑貨、書籍等を販売する店内において掲示、
販売される時点の契約パッケージの価値は、ＩＤキーカードの実体価値であり契約パッケージ内記載
の契約手順を遵守することによる実効契約および契約内容割引利用により実効価値が付加されることを特徴とする。
【請求項５】
請求項１コンビニエンスストア、スーパー、百貨店等、食品、衣料、雑貨、書籍等を販売する店内において掲示、
販売される時点の契約パッケージの価格は、特定施設の利用、自主発信型・巡回型サービス利用、
および付帯関連する必需品、備品、消耗品の購入または貸与時に提示する認証使用されるＩＤキーカードの実体
価値と契約パッケージ実施を補助するコンピュータネットワーク端末の契約期間貸し出し費用であることを特徴とする。
【発明の詳細な説明】
【技術分野】
【０００１】
この発明は、会員組織等への入会票およびサービス利用時ＩＤキーカードを実体価格有償で販売し、購買者の自署送付情報をシステム登録により実効価値カードとなることに係る。
【背景技術】
【０００２】
従来コンビニエンスストア、スーパー、百貨店等、食品、衣料、雑貨、書籍等を販売する店内において商品を販売する時、顧客の継続的な抱え込みを目的として付帯的に会員募集等のパンフレットおよび会員登録用書式葉書等を封入することがある。
また会員管理コンピュータシステム登録を容易にする手法として
特開平10-315662には請求項１ に申込用紙、仮カードが一組の書式内に一体に形成された申込書。申込書の仮カードと申込用紙には共通のもしくはデータ的に１対１でひも付けされた会員ナンバーが予め印字され、当該会員ナンバーは申込書毎に異なるナンバーであることを特徴とする仮カード付き申込書の記述がある、出願があり実体価格の無い仮カードの暫定使用を可能とし、また会員管理データ作成の効率を上げている。
カード自身の価値変動の従来例としては、
プリペイド方式カードをコンビニエンスストア店内で販売するにあたり、万引き、盗難の被害を最小限に止めるためインコム・ジャパン（本社ＵＳ）は2010年9月21日、日本大手コンビニエンスストアとPOSA(InComm’s
Fast Card Point of Sales  Activation)技術でPOSレジで支払いが確定した時点で、対象のカードを有効化する技術を用いると発表。店内掲示時点価値と購買時価値をシステム内で変動させた。
【０００３】
しかし、前記した会員登録用申込は有効カード発行までの仮カード発行という中間処理が発生し、正規カード変更等の工程を要することが入会抵抗感となっていた。
POSA技術においてはコンビニチェーン店ＰＯＳシステム、ホストシステム等の変更等多大な初期費用とソフト使用ロイヤリティがかかり投資対効果がある高額商品への適応に止どまる事と思われる。
【先行技術文献】
【特許文献】
【０００４】
【特許文献１】特開平10-315662公報
【非特許文献】
【０００５】
セブン-イレブン・ジャパンとインコム・ジャパンは2010年9月21日、POSA(InComm’s Fast Card Point of Sales Activation)技術で販売が可能なiTunes Cardおよびニンテンドーポイント プリペイドカードを9月20日より全国のセブン-イレブン店舗で発売開始したと発表した。
【発明の概要】
【発明が解決しようとする課題】
【０００６】
解決しようとする問題点は、契約パッケージ販売による効率的な会員募集。
【課題を解決するための手段】
【０００７】
本発明は、コンビニエンスストア、スーパー、百貨店等、食品、衣料、雑貨、書籍等を販売する店内において
特定サービスの割引提供を前提とする契約を有償で販売するビジネスモデルである。
（請求項１，請求項２）
前記販売する店内での契約パッケージ価格即ち、店内販売時点実体価値はＩＤキーカード購入費である。
購入契約パッケージを構成する会員登録用葉書に個人情報を自署名の後、サービス事業体に送付（図１ (５)）、
（請求項３）
前記葉書に記載された当ビジネスモデル内一意のＩＤ番号と個人情報をセットで登録により、ＩＤキーカード
は当ビジネスモデル内で有効な会員カードとなる。
（請求項４）
当該契約対象である特定施設の利用、自主発信型・巡回型サービス利用、および付帯関連する必需品、
備品、消耗品の購入または貸与に掛る費用は、会員カードを提示認証により非会員での費用より
契約パッケージ記載割り引き価格が適応される。
上記如く契約パッケージの実効価値が前記サービス等を使用時に上がることが本発明の特色である。
（請求項５）
請求項１コンビニエンスストア、スーパー、百貨店等、食品、衣料、雑貨、書籍等を販売する店内において掲示、
販売される時点の契約パッケージの価格は、コンピュータネットワークを介して特定施設の利用予約、
自主発信型サービス要請・巡回型サービス要請、および付帯関連する必需品、備品、消耗品の購入
または貸与の要請等契約パッケージ実施を補助するコンピュータネットワーク端末の契約期間限定の
貸し出し費用およびＩＤキーカードの実体価値費用であることを特徴とする。
【発明の効果】
【０００８】
契約パッケージ購入と簡易な処理により付帯するＩＤキーカードの有効化が早期に実現し、ＩＤキーカード実効価値を明確に認識するビジネスモデル。
【図面の簡単な説明】
【０００９】
【図１】サービス提供事業体、販売組織、顧客モデル図
【図２】契約パッケージ表面
【図３】契約パッケージ内面
【発明を実施するための形態】
【実施例１】
【００１０】
図１  サービスを実施可能な事業体が会員の施設利用、顧客自主発信型サービス・事業体巡回型サービス利用、
および付帯関連する必需品、備品、消耗品の購入または貸与において会員制優遇制度活用を可能とするＩＤキーカードを、契約内容と共に販売するビジネスシステム。
図１（１）サービス事業体から委託方式で契約パッケージをコンビニエンスストア、スーパー、百貨店等で掲示、販売。
図１（３）（４）により販売された仕入額分を（２）で支払う。
顧客が購入した契約パッケージの構成を図２、図３に示す。
【００１１】
図２契約パッケージのＦ部には当ビジネスモデル内で一意なＩＤ番号が付与されている。
Ｇ部に顧客登録個人情報を自署名し、添付めかくしシールを張付後キリトリ線にて切り離し、
（５）会員登録葉書としてサービス事業体に送付する。
サービス事業体では前記会員登録葉書Ｆ部ＩＤとＧ部顧客情報をセットとして会員情報登録を実施する。
顧客保有の図２契約パッケージＤ部には、当ビジネスモデル内で一意である会員登録葉書Ｆ部ＩＤと同一ＩＤ番号
を表した会員カードが剥離可能状態で貼り付けてあり、剥離して顧客が所有しサービス享受時またはサービス申請時に提示する。
【００１２】
図３  Ｉ−Ｑはサービス内容  及び  各サービス割引率を表示する。
尚、構成要素を変えない限り各サービス内容レイアウトは図２、図３に限定されるものではない。
【産業上の利用可能性】
【００１３】
冠婚葬祭事業、介護事業、物販事業、物品貸与事業、物流事業の会員化が容易となる。
【符号の説明】
【００１４】
（１）    カードの購入
（２）    支払い
（３）    カードの購入
（４）    支払い
（５）    ＩＤキーの有効化申請、会員登録
（６）    特定施設利用割引等
（７）    特殊加工品の発注
（８）    物品の発注
（９）    物品の納品
（１０）    物品対価支払い
（１１）    特殊加工品の発注
Ａ，Ｂ，Ｃ，Ｅ，Ｈ：  サービス内容、契約内容
Ｄ：  ＩＤ付会員カード
Ｆ：  ＩＤ番号（会員登録用葉書（裏））、めかくしシール添付
Ｇ：  会員個人登録情報（会員登録用葉書（裏））、めかくしシール添付
Ｉ−Ｑ：  サービス内容、契約内容
Ｒ：  会員登録用葉書（表）
【図１】
2012123593.tif 000003
【図２】
2012123593.tif 000004
【図３】
2012123593.tif 000005